(57)【要約】【課題】部品点数及び組付け工数の低減を可能にした携帯機を提供すること。【解決手段】基板保持用のケース４は、基板の保持機能を実現する基板保持部１１を有して硬質樹脂により略台状に形成されるとともに、所要箇所にシリコーンゴムがインサート成形されている。そして、弾性を有するシリコーンゴムによって、基板保持用のケース４の表側には、基板保持部１１で保持する基板への衝撃を緩和する機能を実現する基板保護部１２が形成されるとともに、基板に実装されるアンテナの保護機能を実現するシート状のアンテナ保護部１３が形成されている。同じく基板保持用のケース４の裏側には、バッテリ取り出し部の防水機能を実現するリング状の防水シール部１４が形成され、さらに、該ケース４の側部における加飾用のケースとの嵌合部には、加飾用のケース内に収容された部品を衝撃から保護する機能を実現する突状の衝撃吸収部１５が形成されている。【選択図】図２
2018152769.tif 000002
【特許請求の範囲】
【請求項１】
基板保持用のケースを備える携帯機において、
前記基板保持用のケースは、基板の保持機能を実現する基板保持部と、該基板保持用のケースへのインサート成形により形成された他機能部とを有する
ことを特徴とする携帯機。
【請求項２】
前記他機能部は、前記基板に実装されるアンテナの保護機能を実現するアンテナ保護部を含む
請求項１に記載の携帯機。
【請求項３】
前記他機能部は、前記基板に実装されるターミナルに接続されるバッテリを取り出すバッテリ取り出し部の防水機能を実現する防水シール部を含む
請求項１又は２に記載の携帯機。
【請求項４】
前記他機能部は、前記基板保持部で保持する前記基板への衝撃を緩和する機能を実現する基板保護部を含む
請求項１〜３のいずれか一項に記載の携帯機。
【請求項５】
前記他機能部は、前記基板保持用のケースに嵌合される加飾用のケースとの嵌合部に形成された衝撃吸収部を含む
請求項１〜４のいずれか一項に記載の携帯機。
【発明の詳細な説明】
【技術分野】
【０００１】
本発明は、基板保持用のケースを備える携帯機に関する。
【背景技術】
【０００２】
特許文献１には、アンテナが実装された基板の他、軟質材によるアンテナ保護用のシート、基板保持用のケース、バッテリ、バッテリ用のカバーが加飾用のケース内に収容されている携帯機が開示されている。バッテリ用のカバーには、シリコーンゴムがインサート成形されて防水用のシール形状が形成されている。これにより、携帯機は、基板の保持機能の他、アンテナの保護機能、バッテリ取り出し部の防水機能を有している。
【先行技術文献】
【特許文献】
【０００３】
【特許文献１】特開２０１２−１９４０８号公報
【発明の概要】
【発明が解決しようとする課題】
【０００４】
基板の保持機能を基板保持用のケースで、アンテナの保護機能をアンテナ保護用のシートで、バッテリ取り出し部の防水機能をバッテリ用のカバーで実施するといったように、３つの機能を３部品で実施する構成では、部品点数及び組付け工数が増加する懸念がある。
【０００５】
本発明は、このような問題点に着目してなされたものであって、その目的は、部品点数及び組付け工数の低減を可能にした携帯機を提供することにある。
【課題を解決するための手段】
【０００６】
上記課題を解決する携帯機は、基板保持用のケースを備える携帯機において、前記基板保持用のケースは、基板の保持機能を実現する基板保持部と、該基板保持用のケースへのインサート成形により形成された他機能部とを有することをその要旨としている。
【０００７】
この構成によれば、元来、基板保持部を有する基板保持用のケースへのインサート成形により他機能部を追加することで、他機能部による機能を実現する専用部品を廃止できる。したがって、部品点数及び組付け工数を低減できる。
【０００８】
上記携帯機について、前記他機能部は、前記基板に実装されるアンテナの保護機能を実現するアンテナ保護部を含むこととしてもよい。
この構成によれば、アンテナの保護機能を実現する専用部品を廃止できる。
【０００９】
上記携帯機について、前記他機能部は、前記基板に実装されるターミナルに接続されるバッテリを取り出すバッテリ取り出し部の防水機能を実現する防水シール部を含むこととしてもよい。
【００１０】
この構成によれば、バッテリ取り出し部の防水機能を実現する専用部品を廃止できる。或いは、元来、防水用のシール形状が形成されたバッテリ用のカバーを備える携帯機から置き換える場合に、バッテリ用のカバーから防水用のシール形状を廃止できる。
【００１１】
上記携帯機について、前記他機能部は、前記基板保持部で保持する前記基板への衝撃を緩和する機能を実現する基板保護部を含むこととしてもよい。
この構成によれば、基板保持部で保持する基板を衝撃から保護できる他、かかる機能を実現する専用部品を廃止できる。
【００１２】
上記携帯機について、前記他機能部は、前記基板保持用のケースに嵌合される加飾用のケースとの嵌合部に形成された衝撃吸収部を含むこととしてもよい。
この構成によれば、加飾用のケース内に収容された部品を衝撃から保護できる他、かかる機能を実現する専用部品を廃止できる。
【発明の効果】
【００１３】
本発明によれば、部品点数及び組付け工数を低減できる。
【図面の簡単な説明】
【００１４】
【図１】携帯機の主な構成を示す分解斜視図。
【図２】（ａ）は基板保持用のケースの表側を示す斜視図、（ｂ）は基板保持用のケースの裏側を示す斜視図。
【図３】比較例の携帯機の主な構成を示す分解斜視図。
【発明を実施するための形態】
【００１５】
以下、携帯機の一実施の形態について説明する。
図１に示すように、車両キーとしてユーザが所持する携帯機１は、車載器との無線通信が可能であり、通信媒体となるアンテナ２が実装された基板３の他、基板保持用のケース４、バッテリ５、バッテリ用のカバー６が加飾用のケース７内に収容されている。バッテリ用のカバー６が基板保持用のケース４に着脱可能に取り付けられてバッテリ取り出し部が構成される。
【００１６】
基板３には、アンテナ２の他、車両の動作（ドアロックの施解錠等）が割り当てられたスイッチ８、通信制御等を実行するマイコン（図示略）、バッテリ５が接続されるターミナル（図示略）が実装されている。
【００１７】
尚、加飾用のケース７は、上下一対のケース（アッパケースとロアケース）からなり、アッパケース（図示略）に組み付けられたボタンが押下されると、ボタン直下のスイッチ８がオンすることにより、該スイッチ８に割り当てられた動作を指示する無線信号がアンテナ２を通じて外部に送信される。
【００１８】
図２（ａ）、（ｂ）に示すように、基板保持用のケース４は、基板３の保持機能を実現する基板保持部１１を有して硬質樹脂により略台状に形成されるとともに、所要箇所にシリコーンゴムがインサート成形されている。
【００１９】
そして、弾性を有するシリコーンゴムによって、基板保持用のケース４の表側には、基板保持部１１で保持する基板３への衝撃を緩和する機能を実現する基板保護部１２が形成されるとともに、基板３に実装されるアンテナ２の保護機能を実現するシート状のアンテナ保護部１３が形成されている。同じく基板保持用のケース４の裏側には、バッテリ取り出し部の防水機能を実現するリング状の防水シール部１４が形成され、さらに、該ケース４の側部における加飾用のケース７との嵌合部には、加飾用のケース７内に収容された部品を衝撃から保護する機能を実現する突状の衝撃吸収部１５が形成されている。
【００２０】
基板保護部１２、アンテナ保護部１３、防水シール部１４、衝撃吸収部１５は、基板保持部１１による基板３の保持機能（基板保持用のケース４における元来の機能）とは異なるそれぞれの機能を実現する他機能部に相当する。
【００２１】
次に、携帯機１の作用について説明する。
図３に示すように、本例の携帯機１とは異なる比較例の携帯機２０は、アンテナ２１が実装された基板２２の他、軟質材によるアンテナ保護用のシート２３、基板保持用のケース２４、バッテリ２５、バッテリ用のカバー２６が加飾用のケース２７内に収容されている。そして、バッテリ用のカバー２６には、シリコーンゴムがインサート成形されて防水用のシール形状２８が形成されている。この場合、基板２２の保持機能を基板保持用のケース２４で、アンテナ２１の保護機能をアンテナ保護用のシート２３で、バッテリ取り出し部の防水機能をバッテリ用のカバー２６で実施するといったように、３つの機能を３部品で実施することになり、部品点数及び組付け工数が増加する。
【００２２】
これに対し、本例の携帯機１は、基板３の保持機能の他、アンテナ２の保護機能、バッテリ取り出し部の防水機能を基板保持用のケース４で実施するとともに、基板３への衝撃を緩和する機能及び加飾用のケース７内に収容された部品を衝撃から保護する機能についても基板保持用のケース４で実施するため、部品点数及び組付け工数を低減できる。
【００２３】
以上説明したように、本実施の形態によれば、以下の作用効果を奏することができる。
（１）元来、基板保持部１１を有する基板保持用のケース４へのインサート成形によりアンテナ保護部１３等の他機能部を追加することで、他機能部による機能を実現する専用部品を廃止できる。したがって、部品点数及び組付け工数を低減できる。
【００２４】
（２）アンテナ２の保護機能を実現する専用部品（アンテナ保護用のシート２３）を廃止できる。
（３）バッテリ取り出し部の防水機能を実現する専用部品を廃止できる。或いは、元来、防水用のシール形状２８が形成されたバッテリ用のカバー２６を備える携帯機２０から置き換える場合に、バッテリ用のカバー２６から防水用のシール形状２８を廃止できる。
【００２５】
（４）基板保持部１１で保持する基板３を衝撃から保護できる他、かかる機能を実現する専用部品を廃止できる。
（５）加飾用のケース７内に収容された部品を衝撃から保護できる他、かかる機能を実現する専用部品を廃止できる。
【００２６】
尚、上記実施の形態は、次のように変更して具体化することも可能である。
・上記実施の形態の携帯機１は、基板保持用のケース４へのインサート成形により防水シール部１４が形成されることに伴い、バッテリ用のカバー６には、バッテリ用のカバー２６とは異なり、防水用のシール形状２８が形成されない。このことを踏まえ、バッテリ用のカバー６に相当するカバー部を加飾用のケース７と一体化してもよい。すなわち、加飾性樹脂による単色成形により、カバー部を有する加飾用のケースが製造され、バッテリ用のカバー６及び加飾用のケース７から置き換えられる。この構成によれば、バッテリ用のカバー６の廃止によって、部品点数及び組付け工数を低減できる。
【００２７】
・基板保持用のケース４へのインサート成形に用いる材料はシリコーンゴムに限定されない。エラストマーの類であればよい。
・基板保持用のケース４へのインサート成形として、二つ以上の材料を組み合わせる多色成形を用いてもよい。
【００２８】
・基板保持用のケース４へのインサート成形により、基板保護部１２、アンテナ保護部１３、防水シール部１４、衝撃吸収部１５の全てが形成される構成に限定されない。少なくとも１つ或いはそれらとは別の他機能部が形成されてもよい。尚、複数の他機能部が形成される場合において、それぞれの他機能部が別々の材料によって形成されてもよい。
【００２９】
・基板保持用のケース４、バッテリ用のカバー６、加飾用のケース７に用いる材料は、親和性等を考慮して適宜変更可能である。
・上記実施の形態に倣い、携帯機１を送信側とする単方向通信が可能な携帯機１に本発明を適用してもよいし、該単方向通信に代えて又は加えて車載器との間で双方向通信が可能な携帯機に本発明を適用してもよい。尚、車両キーとして使用される携帯機に限らず、建物用の鍵（電子キー）として使用される携帯機であってもよい。
【符号の説明】
【００３０】
１…携帯機、２…アンテナ、３…基板、４…基板保持用のケース、５…バッテリ、６…バッテリ用のカバー、７…加飾用のケース、８…スイッチ、１１…基板保持部、１２…基板保護部（他機能部）、１３…アンテナ保護部（他機能部）、１４…防水シール部（他機能部）、１５…衝撃吸収部（他機能部）。
【図１】
2018152769.tif 000003
【図２】
2018152769.tif 000004
【図３】
2018152769.tif 000005